(57)【要約】【課題】口ゴムのない最もシンプルな形状の水切りネットを流し台トラップのフランジ部に簡単に、かつ、確実に固定することができる水切りネット固定器具、或いは、ゴミ受け用水切りネットとともに使い捨てにできる衛生的な水切りネット固定器具を提供する。【解決手段】大径部から小径部に向かって縮径する筒状体３と、該筒状体３の大径部に設けたフランジ２とから成り、該フランジ２よって流し台トラップ７内に装着された水切りネット４の胴部を前記流し台トラップ７のフランジ部８に固定する。【選択図】図３
0003187269.tif 000002
【実用新案登録請求の範囲】
【請求項１】
大径部から小径部に向かって縮径する筒状体と、該筒状体の大径部に設けたフランジとから成り、該フランジよって流し台トラップ内に装着された水切りネットの胴部を前記流し台トラップのフランジ部に固定することを特徴とする水切りネット固定器具。
【請求項２】
大径部から小径部に向かって縮径する筒状体と、該筒状体の大径部に設けたフランジとから成り、該フランジよって流し台トラップ内に装着された水切りネットの胴部を前記流し台トラップのフランジ部に固定し、更に、前記水切りネットの開口端を前記フランジを被うように折り返して前記筒状体の内部傾斜面に付着させることを特徴とする請求項１記載の水切りネット固定器具。
【請求項３】
前記筒状体の傾斜角度θが１〜３０度の範囲であることを特徴とする請求項１又は２記載の水切りネット固定器具。
【請求項４】
前記水切りネットと同様に使い捨てもできるが、前記筒状体及び前記フランジが抗菌処理され、雑菌の繁殖を抑制することを特徴とする請求項１又は２記載の水切りネット固定器具。
【請求項５】
前記筒状体及び前記フランジが、前記水切りネットで捕集される生ゴミと同様の分別廃棄処理できる材料により構成されていることを特徴とする請求項１又は２記載の水切りネット固定器具。
【考案の詳細な説明】
【技術分野】
【０００１】
本考案は、市販されている袋状のゴミ受け用水切りネットを流し台トラップ（排水トラップとも言う。）のフランジ部に固定する器具に関するものである。
【背景技術】
【０００２】
流し台トラップのゴミ受けには、通常、ステンレスやプラスチック製のゴミ受け用カゴが使用され、その補助具として、ゴミ受け用カゴの内側に収まる使い捨てのプラスチック製や不織布製の水切りネットが使用されているが、生ゴミがゴミ受け用カゴに残留することによるヌメリや異臭が発生し、頻繁にゴミ受け用カゴを洗浄する必要があった。
【０００３】
そのような洗浄を簡単に行うため、先行文献に示されるような水切りネットを用いた技術が開発されている。しかるに、特許文献１は、水切りネットと口止め枠とが一体化されていて、高価となるとともに、口止め枠の分だけ廃棄物も多くなる欠点があった。
【０００４】
また特許文献２及び３の先行技術は、ホルダーリングに水切りネットを通し、次いで、水切りネットの上端開口部をホルダーリングの外側に折り曲げて固定するため、流し台トラップへの適切な取り付けが困難という欠点があった。更に、実用新案登録文献２に至っては、水切りネットの先端開口部に口ゴムが装着されているため、口ゴム付き特有の取り付け困難性があり、それを改善する必要があった。
【先行技術文献】
【特許文献】
【０００５】
【特許文献１】実用新案登録第３００６６２１号公報
【特許文献２】実用新案登録第３１７７３５８号公報
【特許文献３】特開２０００─２２０１９１号公報
【考案の概要】
【考案が解決しようとする課題】
【０００６】
本考案が解決しようとする課題は、口ゴムのない最もシンプルな形状の水切りネットを流し台トラップのフランジ部に簡単に、かつ、確実に固定することができ、かつ、ヌメリや異臭の発生を最小限に抑え、更には、水切りネットの装着と廃棄が容易で繰り返し使用できる水切りネット固定器具、或いは、ゴミ受け用水切りネットとともに使い捨てにできる衛生的な水切りネット固定器具を提供することにある。
【０００７】
更に本考案が解決すべき課題として、生ゴミが残留する水切りネットを廃棄する作業も容易であることが求められる。加えて、繰り返し使用することもできるが、水切りネット固定器具を水切りネットと同時に使い捨てることも考慮しておくことが望ましい。
【０００８】
そのためには、水切りネット固定器具を簡単な形状として、水切りネットと同様に水切りネット固定器具も使い捨て可能なように安価に提供することが望まれる。付け加えるならば、水切りネット固定器具及び水切りネットに抗菌処理を施すことにより、ヌメリや異臭の発生を更に抑えることが望まれる。
【課題を解決するための手段】
【０００９】
本考案の請求項１に係る水切りネット固定器具は、大径部から小径部に向かって縮径する筒状体と、該筒状体の大径部に設けたフランジとから成り、該フランジよって流し台トラップ内に装着された水切りネットの胴部を前記流し台トラップのフランジ部に固定することを特徴とするものである。
【００１０】
本考案の請求項２に係る水切りネット固定器具は、大径部から小径部に向かって縮径する筒状体と、該筒状体の大径部に設けたフランジとから成り、該フランジよって流し台トラップ内に装着された水切りネットの胴部を前記流し台トラップのフランジ部に固定し、更に、前記水切りネットの開口端を前記フランジを被うように折り返して前記筒状体の内側傾斜面に付着させることを特徴とするものである。
【００１１】
本考案の請求項３に係る水切りネット固定器具は、前記筒状体の傾斜角度θが１〜３０度の範囲であることを特徴とするものである。
【００１２】
本考案の請求項４に係る水切りネット固定器具は、前記水切りネットと同様に使い捨てもできるが、前記筒状体及び前記フランジが抗菌処理され、雑菌の繁殖を抑制することを特徴とするものである。
【００１３】
本考案の請求項５に係る水切りネット固定器具は、前記筒状体及び前記フランジが、前記水切りネットで捕集される生ゴミと同様の分別廃棄処理できる材料により構成されていることを特徴とするものである。
【考案の効果】
【００１４】
本考案によれば、流し台トラップの水切りカゴや水切りネット固定器具などは、生ゴミに直接接するため、菌によるヌメリや異臭の発生があり、少なくとも水切りカゴの代替となる水切りネットは、使い捨てとするとともに、水切りネット固定器具も状況により使い捨て可能であれば、使い捨てにできることにより、流し台トラップの洗浄作業を著しく低減することができる。
【００１５】
加えて、水切りネットが流し台トラップに簡単かつ安定して固定されることにより、水切りネットが流し台トラップ内で広がり、しかも、脱着も簡便なため、溜まった生ゴミの廃棄が行い易い。更に付け加えると、水切りカゴのように流し台トラップとの隙間が僅かと言うこともなくなるため、水切りネットと流し台トラップの隙間を十分に有することにより、流し台トラップのヌメリの発生も少なくなる。
【００１６】
本考案の水切りネット固定器具は、フランジ下部に傾斜角度を持った筒状体を設けることを特徴としている。この傾斜角度により、最もシンプルな形状となる開口部と閉口部のネット寸法が展開形状において同じ寸法である水切りネットであっても、外部から内部に折り返された水切りネットの開口部が必ず筒状体の内側傾斜面に接触するため、フランジでの水切りネットの設置位置を補完せしめて、水切りネットの設置がズレ難くなる。
【００１７】
その傾斜角度θは、１〜３０度の範囲であり、望ましくは、１〜１０度の範囲とすることが望ましい。ここで、傾斜角度θが１度未満の場合は、水切りネットの折り返し部が筒状体の傾斜部に接触し難くなり、逆に、傾斜角度θが３０度を超える場合は、生ゴミが堆積し易くなる。
【図面の簡単な説明】
【００１８】
【図１】（Ａ）本考案に係る水切りネット固定器具の平面図、（Ｂ）その側面図である。
【図２】（Ａ）本考案に係る水切りネット固定器具を水切りネット内に収めた状態を示す平面図、（Ｂ）その側面図である。
【図３】水切りネット及び水切りネット固定器具を流し台トラップに装着する様子を示す側面図である。
【図４】水切りネット及び水切りネット固定器具を流し台トラップにセットした状態を示す側面図である。
【図５】流し台トラップに目皿を装着した状態を示す側面図である。
【図６】水切りネットの使用状態を示す側面図である。
【図７】水切りネット及び水切りネット固定器具を廃棄する場合を示す側面図である。
【考案を実施するための形態】
【００１９】
本考案の実施形態を図面を用いて説明する。
図１（Ａ）及び（Ｂ）に示すように、本考案に係る水切りネット固定器具１は、大径部から小径部に向かって縮径する筒状体３と、この筒状体３の大径部に設けたフランジ２より形成されている。
【００２０】
ここで、水切りネット固定器具１の筒状体３における大径部の外径は、流し台トラップ７内に収まる大きさとし、他方、フランジ２の外径は、流し台トラップのフランジ部の外径とほぼ同等とされる。
【００２１】
また、筒状体３の傾斜角度θは、１〜３０度の範囲に設定される。ここで、傾斜角度θが１度未満の場合は、水切りネットの折り返し部が筒状体３の内部傾斜面に接触し難くなり、逆に、筒状体３の傾斜角度θが３０度を超える場合は、筒状体３の内部傾斜面に生ゴミが堆積し易くなる。また、水切りネット固定器具１を構成している筒状体３及びフランジ２の板厚は、通常、０．２〜３．０ｍｍ、好ましくは０．５〜１．０ｍｍ程度である。
【００２２】
更に、水切りネット固定器具１の素材としては、ブラスチック、発泡ブラスチック、木材、竹、紙など、流し台トラップの水切りネットで捕集される生ゴミと同様の分別廃棄処理できる材料により構成されることが望ましい。水切りネット固定器具１の素材が紙の場合は、水切りネット固定器具１を形成後、防水処理を施す。更に、水切りネット固定器具１は、抗菌処理され、雑菌の繁殖を抑制するようになっていることが好ましい。
【００２３】
図２（Ａ）及び（Ｂ）に示すように、本考案に係る水切りネット固定器具１は、通常、水切りネット４内に収容された状態で使用される。符号５は、水切りネット４の閉口部、符号６は、水切りネット４の開口部を示している。
【００２４】
図３に示すように、水切りネット固定器具１の入った水切りネット４の閉口部５を、例えば、手先などを使って流し台トラップ７の中に押し込んだ後、水切りネット４の胴部を半径方向に拡げる。
【００２５】
それから、図４に示すように、水切りネット固定器具１のフランジ２を流し台トラップ７のフランジ部８に押し付けて水切りネット４の胴部を流し台トラップ７のフランジ部８に固定する。
【００２６】
その後、図５に示すように、水切りネット４の開口部６を、水切りネット固定器具１のフランジ２を被うように内側に折り返して筒状体３の内部傾斜面３ａに付着させる。水切りネット４の開口部６を筒状体３の内部傾斜面３ａに付着させる方法には、例えば、蛇口から水道水を流下させて水切りネット４の折り返し部分を湿潤させる方法などがある。
【００２７】
このように、水切りネット４の開口端を水切りネット固定器具１の筒状体３内に折り返すことにより、水切りネット４をゴミ受けカゴの代わりとして使用しても位置ズレすることなく、安定した状態で取り付けられる。その後、使用中の生ゴミが見えないように、目皿又は流し菊割れ蓋９を用いて蓋をする。
【００２８】
水切りネット４内に生ゴミ１０が溜まって廃棄する場合には、図６に示すように、目皿９を外す。そして、図７に示すように、水切りネット固定器具１の筒状体３内に折り返した水切りネット４の開口部６を持ち、水切りネット固定器具１とともに流し台トラップ７より取り出す。その際、水切りネット固定器具１が再利用可能な清潔さならば、水切りネット４から取り出し、不潔ならば、生ゴミ１０が入った水切りネット４とともに廃棄することもできる。
【符号の説明】
【００２９】
１  水切りネット固定器具
２  フランジ
３  筒状体
４  水切りネット
７  流し台トラップ
８  流し台トラップのフランジ部
【図１】
0003187269.tif 000003
【図２】
0003187269.tif 000004
【図３】
0003187269.tif 000005
【図４】
0003187269.tif 000006
【図５】
0003187269.tif 000007
【図６】
0003187269.tif 000008
【図７】
0003187269.tif 000009